(57)【特許請求の範囲】
【請求項１】
記録体表面を、色剤を溶剤に溶かした記録剤と接した状態で加熱し、加熱温度に応じて後退接触角を変化させることにより潜像を形成し、潜像部に、色剤を溶剤に溶かした記録剤を接触させて可視像を形成し、該可視像を記録媒体に転写する記録装置において、前記潜像の形成と可視像の形成を同時に行った後、転写時、前記記録剤中に混合させておいたマイクロカプセルを破壊し、該マイクロカプセル内に含ませておいた溶剤を飛散させ、転写前又は転写中の記録体上の画像に対して、前記溶剤を付与し、記録体上の前記記録剤の粘度を現像時よりも低くしてから転写をすることを特徴とする記録装置。
【請求項２】
記録体表面を、色剤を溶剤に溶かした記録剤と接した状態で加熱し、加熱温度に応じて後退接触角を変化させることにより潜像を形成し、潜像部に、色剤を溶剤に溶かしたインクを接触させて可視像を形成し、該可視像を記録媒体に転写する記録装置において、前記潜像の形成と可視像の形成を同時に行った後、前記インクとしてチクソトロピー性インクを用いて転写前に、記録体上のインクに超音波を当てて、記録体上のインクの粘度を現像時よりも低くしてから転写をすることを特徴とする記録装置。
【請求項３】
記録体表面を、色剤を溶剤に溶かした記録剤と接した状態で加熱し、加熱温度に応じて後退接触角を変化させることにより潜像を形成し、潜像部に、色剤を溶剤に溶かした記録剤を接触させて可視像を形成し、該可視像を記録媒体に転写する記録方法において、前記潜像の形成と可視像の形成を同時に行った後、転写時、前記記録剤中に混合させておいたマイクロカプセルを破壊し、該マイクロカプセル内に含ませておいた溶剤を飛散させ、転写前又は転写中の記録体上の画像に対して、前記溶剤を付与し、記録体上の前記記録剤の粘度を現像時よりも低くしてから転写をすることを特徴とする記録方法。
【請求項４】
記録体表面を、色剤を溶剤に溶かした記録剤と接した状態で加熱し、加熱温度に応じて後退接触角を変化させることにより潜像を形成し、潜像部に、色剤を溶剤に溶かしたインクを接触させて可視像を形成し、該可視像を記録媒体に転写する記録方法において、前記潜像の形成と可視像の形成を同時に行った後、前記インクとしてチクソトロピー性インクを用いて転写前に、記録体上のインクに超音波を当てて、記録体上のインクの粘度を現像時よりも低くしてから転写をすることを特徴とする記録方法。
【発明の詳細な説明】
【技術分野】
【０００１】
本発明は、記録装置及び記録方法、より詳細には、記録体の表面に加熱温度に応じた後退接触角（潜像）を形成し、潜像をインクを用いて現像し、該現像を記録媒体（例えば転写紙）上に転写して所望の画像を得る記録装置及び記録方法に関する。
【背景技術】
【０００２】
図１は、本発明が適用される記録装置の一例を説明するための要部概略構成図で、図中、１は記録体ベルト、２は記録体ベルト１を矢印方向に駆動する駆動ローラ、３は従動ローラ、４はクリーニングローラ、５はサーマルヘッド、６は現像ローラ、７は除像ヒータ、８は転写ローラ、９は記録媒体（例えば転写紙）で、まず、サーマルヘッド５により、記録体ベルト１上に加熱温度に応じた潜像を形成し、その際、同時に、現像ローラ６により現像を行う。記録体ベルトは矢印方向に移動し、記録体上の画像は転写ローラ８により転写紙９に転写される。その後、記録体ベルト１上の転写残りリンクはクリーニングローラ４によりクリーニングされ、除像ヒータ７により除像される。
【発明の開示】
【発明が解決しようとする課題】
【０００３】
上述のごとき記録装置において、現像インクとして粘弾性を示すインクを用いた場合、粘度が十分に高くなければ現像時に地汚れが生じ、十分な粘度であれば転写効率が落ち、転写紙上の画像濃度が下がるという矛盾が生じる。
本発明は、上述のごとき記録装置又は記録方法において、地汚れを生じさせることなく転写効率を上げ、画像濃度を向上させた記録装置又は記録方法を提供することを目的としてなされたものである。
而して、上述のごとき記録装置又は記録方法において、字汚れなく転写効率を上げる方法の１つは、地汚れの生じない十分粘度の高いインクを用いて現像を行い、転写前にまたは転写中に何らかの方法でこの記録体上のインクの粘度を低くし、インクに粘着性を与えてから転写することである。
【課題を解決するための手段】
【０００４】
本発明は、上記課題を解決するために、（１）記録体表面を、色剤を溶剤に溶かした記録剤と接した状態で加熱し、加熱温度に応じて後退接触角を変化させることにより潜像を形成し、潜像部に、色剤を溶剤に溶かした記録剤を接触させて可視像を形成し、該可視像を記録媒体に転写する記録装置において、前記潜像の形成と可視像の形成を同時に行った後、転写時、前記記録剤中に混合させておいたマイクロカプセルを破壊し、該マイクロカプセル内に含ませておいた溶剤を飛散させ、転写前又は転写中の記録体上の画像に対して、前記溶剤を付与し、記録体上の前記記録剤の粘度を現像時よりも低くしてから転写をすること、更には、（２）記録体表面を、色剤を溶剤に溶かした記録剤と接した状態で加熱し、加熱温度に応じて後退接触角を変化させることにより潜像を形成し、潜像部に、色剤を溶剤に溶かしたインクを接触させて可視像を形成し、該可視像を記録媒体に転写する記録装置において、前記潜像の形成と可視像の形成を同時に行った後、前記インクとしてチクソトロピー性インクを用いて転写前に、記録体上のインクに超音波を当てて、記録体上のインクの粘度を現像時よりも低くしてから転写をすること、或いは、（３）記録体表面を、色剤を溶剤に溶かした記録剤と接した状態で加熱し、加熱温度に応じて後退接触角を変化させることにより潜像を形成し、潜像部に、色剤を溶剤に溶かした記録剤を接触させて可視像を形成し、該可視像を記録媒体に転写する記録方法において、前記潜像の形成と可視像の形成を同時に行った後、転写時、前記記録剤中に混合させておいたマイクロカプセルを破壊し、該マイクロカプセル内に含ませておいた溶剤を飛散させ、転写前又は転写中の記録体上の画像に対して、前記溶剤を付与し、記録体上の前記記録剤の粘度を現像時よりも低くしてから転写をすること、更には、（４）記録体表面を、色剤を溶剤に溶かした記録剤と接した状態で加熱し、加熱温度に応じて後退接触角を変化させることにより潜像を形成し、潜像部に、色剤を溶剤に溶かしたインクを接触させて可視像を形成し、該可視像を記録媒体に転写する記録方法において、前記潜像の形成と可視像の形成を同時に行った後、前記インクとしてチクソトロピー性インクを用いて転写前に、記録体上のインクに超音波を当てて、記録体上のインクの粘度を現像時よりも低くしてから転写をすることを特徴とする。
【発明の効果】
【０００５】
本発明によると、転写効率が上がるので、転写画像の濃度を高めることができる。また、記録体上の画像の転写残りを少なくすることができるので、クリーニング部の負担を抑えることができる。
【発明を実施するための最良の形態】
【０００６】
本発明は、記録体上に、地汚れの生じない十分粘度の高いインクを用いて現像を行い、転写前又は転写中に前記記録体上のインクの粘度を低くし、インクに粘着性を与えてから転写するものである。
【０００７】
具体的には、サーマルヒータを用いた感熱記録装置又は感熱記録方法において、地汚れなく転写効率を上げるために、地汚れの生じない十分粘度の高い１００００Ｐ程度のインク（記録剤）を用いて現像を行い、転写前にまたは転写中に何らかの方法でこの記録体上のインクの粘度を低くし、インクに粘着性を与えてから転写することである。
以下、インクの粘度を下げるための各実施例について説明するが、同様の作用をする部分には、同一の参照番号を付し、各実施例毎の詳細な説明は省略する。
【０００８】
実施例１：図１において、サーマルヘッド５及び現像ローラ６によって記録体１上に形成された可視像（現像）は、転写ローラ８によって記録媒体９に転写されるが、その際、転写前のまたは転写中の記録体１上のインクに対して、直接インク溶剤を塗布して転写する。その結果、記録体１上のインクの粘度は下がり、転写効率が向上し、画像濃度が増す。
【０００９】
実施例２：図２に示すように、転写前のまたは転写中の記録体１上のインクに対して、加熱器１０により加熱したインク溶剤の蒸気１０ａを吹き付けることでインクの粘度を低くする。
【００１０】
実施例３：図３に示すように、転写前のまたは転写中の記録体１上のインクに対して、加湿器１１を用いて霧状１１ａにしたインク溶剤を吹き付けることでインクの粘度を低くする。
【００１１】
実施例４：図１と同じ構成であるが、現像インク中に溶剤を含ませたマイクロカプセルが混入されている点が異なる。記録体上に現像された画像が転写ローラ８部を通る際、該記録体１にかかる圧力によりマイクロカプセルが壊れて該マイクロカプセル中のインク溶剤が飛び出し、このインク溶剤によりインクの粘度を下げる。
【００１２】
実施例５：図４において、現像はチクソトロピー性インクを用いて行われており、現像後の記録体上のインクに対して超音波発振器１２により超音波１２ａを当てると、インクの粘度を下げることができる。
【００１３】
実施例６：図５において、現像は過冷却インクを用いて行われており、現像後の記録体１上のインクを加熱器１３により加熱するとインクの粘度が下がる。ここで重要なことは、記録体１を加熱するので、転写ローラ８部を加熱（加熱転写）するよりも必要エネルギーが少なくて済む。
【００１４】
実施例７：図１において、転写前または転写中の記録媒体（転写紙）９に対してインク溶剤を塗布する。この結果、転写時に、記録体１上のインクの粘度が、転写紙９上のインク溶剤により下がり、転写効率が向上し、画像濃度が増す。
【００１５】
実施例８：図６に示すように、転写前または転写中の転写紙９に対して、加熱器１４により加熱したインク溶剤の蒸気１４ａを吹き付ける。これにより転写時に記録体１上のインクの粘度を下げることができる。
【００１６】
実施例９：図７に示すように、転写前のまたは転写中の転写紙９に対して、加湿器１５を用いて霧状１５ａにしたインク溶剤を吹き付ける。これにより転写時に記録体１上のインクの粘度を下げることができる。
【００１７】
実施例１０：図８に示すように、スポンジローラ１６（１７は押えローラ）を用いて転写前の転写紙９にインク溶剤を塗布する。これにより転写時に記録体１上のインクの粘度を下げることができる。
【００１８】
上記の各実施例について、以下のごとき実験を行って以下の結果を得た。ただし、各実験例に対して、次の条件を固定した。
記録体    ：含フッ素アクリレート材料ＴＧ−７０２（ダイキン工業製）をフレオン１１３で希釈し、これをポリィミドフィルムにコートしたもの。
現像インク：染料ＢＫＳ−２０７とポリビニルピロリドン（ＰＶＰ）をエチレングリコール（和光純薬工業）に溶かして、粘度を１００００Ｐ程度としたもの。ただし、実施例４，５，６では異なるインクを用いた。
印字速度  ：１０ｍｍ／ｓｅｃ
【００１９】
実験例１（実施例２の実験例）
溶剤      ：水−１００℃のお湯を蒸気を吹き付けた。
実験の結果：転写効率は向上し、転写画像の濃度が増した。
【００２０】
実験例２（実施例３の実験例）
溶剤      ：水
実験の結果：転写効率は向上し、転写画像の濃度が増した。
【００２１】
実験例３（実施例４の実験例）
現像インク：上記のインクにマイクロカプセルを混入させたもの。
溶剤      ：水
マイクロカプセル：乳化重合により作成。径は１０μｍ程度。
実験の結果：転写効率は向上し、転写画像の濃度が増した。
【００２２】
実験例４（実施例５の実験例）
現像インク：パオゲンＰＸ−３０１４（第一工業製薬）をエチレングリコールに溶かしたもの。このインクはチクソトロピー性を示す。
実験の結果：転写効率は向上し、転写画像の濃度が増した。
【００２３】
実験例５（実施例６の実験例）
現像インク：染料カーボンブラックとポリビニルピロリドン（ＰＶＰ）をエチレングリコールに溶かし、これに過冷却剤としてｐ−ベンジルフェノールを加えたもの。
実験の条件：転写前に記録体上のインクを１００℃で加熱した。
実験の結果：転写効率は向上し、転写画像の濃度が増した。
【００２４】
実験例６（実施例８の実験例）
溶剤      ：水−１００℃のお湯の蒸気を当てた。
実験の結果：転写効率は向上し、転写画像の濃度が増した。
【００２５】
実験例７（実施例９の実験例）
溶剤      ：水
実験の条件：超音波加湿器により水を霧状にした。
実験の結果：転写効率は向上し、転写画像の濃度が増した。
【００２６】
実験例８（実施例１０の実験例）
溶剤      ：水
スポンジ  ：ルビセル・スポンジ
実験の結果：転写効率は向上し、転写画像の濃度が増した。
【図面の簡単な説明】
【００２７】
【図１】本発明が適用される記録装置の一例を説明するための要部概略構成図である。
【図２】本発明の一実施例を説明するための要部概略構成図である。
【図３】本発明の他の実施例を説明するための要部概略構成図である。
【図４】本発明の他の実施例を説明するための要部概略構成図である。
【図５】本発明の他の実施例を説明するための要部概略構成図である。
【図６】本発明の他の実施例を説明するための要部概略構成図である。
【図７】本発明の他の実施例を説明するための要部概略構成図である。
【図８】本発明の他の実施例を説明するための要部概略構成図である。
【符号の説明】
【００２８】
１…記録体、２…駆動ローラ、３…従動ローラ、４…クリーニングローラ、５…サーマルヘッド、６…現像ローラ、７…除像ヒータ、８…転写ローラ、９…転写紙、１０…加熱器、１０ａ…蒸気、１１…超音波加湿器、１１ａ…霧、１２…超音波発振器、１２ａ…超音波、１３…加熱器、１４…溶剤、１４ａ…蒸気、１５…超音波加湿器、１５ａ…霧、１６…スポンジローラ、１７…押えローラ。
【図１】
0003784384.tif 000002
【図２】
0003784384.tif 000003
【図３】
0003784384.tif 000004
【図４】
0003784384.tif 000005
【図５】
0003784384.tif 000006
【図６】
0003784384.tif 000007
【図７】
0003784384.tif 000008
【図８】
0003784384.tif 000009